(57)【要約】【課題】ＬＣＤ画面への周辺光の影響を除去するとともに、ＬＣＤ画面の視認方向をアイレベル方式位置とウェストレベル方式位置及び両位置の間で無段階に選択可能なモニター用着脱式付属装置を提供することにある。【解決手段】携帯機器のモニター近傍に所定の位置関係で着脱可能な付属部材を有するとともに、ＬＣＤ画面の光軸上に第一ミラーを有し、その反射像の光軸上に第二ミラーを有してＬＣＤ画面の視認方向を無段階に選択可能である携帯機器のモニター用着脱式付属装置にした。この発明によって、モニターの多方向視認が可能で所定の位置が決定され、多方向視認のモニター用の付属部材の着脱を的確に成し遂げられるようにした。【選択図】        図１
2004246232.tif 000002
【特許請求の範囲】
【請求項１】
携帯機器のモニター近傍に所定の位置関係で着脱可能な付属部材を有する携帯機器のモニター用着脱式付属装置において、ＬＣＤ画面の光軸上に第一ミラーを有し、その反射像の光軸上に第二ミラーを有してモニター面の視認方向を無段階に選択可能である携帯機器のモニター用着脱式付属装置。
【請求項２】
前記携帯機器のモニターパネル、又は、ＬＣＤ画面に接着可能な中間部材とその中間部材に所定の位置関係で着脱可能な付属部材を有する請求項１記載の携帯機器のモニター用着脱式付属装置。
【請求項３】
前記付属部材は弾性を持ち、この弾性により前記付属部材と前記中間部材とが着脱できる請求項２記載のモニター用着脱式付属装置。
【請求項４】
前記中間部材の携帯機器への接着部が両面テープである請求項２記載のモニター用着脱式付属装置。
【請求項５】
前記付属部材が中間部材接着時の位置決め部をもつ請求項４記載のモニター用着脱式付属装置。
【請求項６】
前記付属部材が拡大レンズと遮光構造を有する請求項１記載のモニター用着脱式付属装置。
【請求項７】
前記拡大レンズが前記付属部材に着脱可能な請求項６記載のモニター用着脱式付属装置。
【請求項８】
前記付属部材は、前記拡大レンズが外された時に携帯機器のＬＣＤ画面から明視の距離でＬＣＤ画面が見える開口をもつ請求項７記載のモニター用着脱式付属装置。
【請求項９】
前記拡大レンズが視度の調整機能をもつ請求項６記載のモニター用着脱式付属装置。
【請求項１０】
前記付属部材が目当て保持部材を有し、目当て保持部材の回転角が前記第二ミラーの回転角の約２倍になる請求項１記載のモニター用着脱式付属装置。
【発明の詳細な説明】
【０００１】
【発明が関連する技術分野】
この発明は、デジタルカメラなどの携帯機器におけるモニターへの外来光に対する遮光に関する。
【０００２】
【従来の技術】
撮影レンズ及び固体撮像素子（ＣＣＤ：Ｃｈａｒｇｅ  Ｃｏｕｐｌｅｄ  Ｄｅｖｉｃｅ）を備えたデジタルカメラには、液晶表示装置（ＬＣＤ：Ｌｉｑｕｉｄ  Ｃｒｙｓｔａｌ  Ｄｉｓｐｌａｙ）による撮影時のビューファインダ機能及び画像再生時におけるモニター機能兼用のＬＣＤ画面を備えたカメラがある。
【０００３】
このようなカメラのＬＣＤ画面は、明るい戸外では周辺光の影響により画面が見えにくくなる。さらに一般的に、その視認方向がカメラ背面からに限定される為、接写等のローアングルでの撮影が困難となる等の欠点を有する。
【０００４】
このため、ＬＣＤ画面への周辺光の影響を軽減するための遮光用フードやローアングルでの撮影をしやすくするために、ＬＣＤ画面の視認方向をＬＣＤ画面に垂直な中心軸に対し、７０度乃至９０度傾いた方向から視認できるようにしたカメラに着脱可能な装置（以下ウェストレベル方式と称す）が提案されている。
【０００５】
しかし、それらの装置はいずれもＬＣＤ画面の視認方向がＬＣＤ画面に垂直な中心軸の方向から視認する方式（以下アイレベル方式と称す）或いは前記ウェストレベル方式のいずれか一方のみ、またはどちらかを選択使用する方式であった。
【０００６】
【発明が解決しようとする課題】
本技術は、簡単な構成で、前記ＬＣＤ画面への周辺光の影響を除去するとともに、ＬＣＤ画面の視認方向をアイレベル方式位置とウェストレベル方式位置及び両位置の間で無段階に選択可能なモニター用着脱式付属装置を提供することにある。
【０００７】
【課題を解決するための手段】
上記の課題を解決するために、
請求項１記載の発明は、携帯機器のモニター近傍に所定の位置関係で着脱可能な付属部材を有するとともに、モニター面の光軸上に第一ミラーを有し、その反射像の光軸上に第二ミラーを有してモニター面の視認方向を無段階に選択可能である携帯機器のモニター用着脱式付属装置を提供する。この発明によれば、モニターの多方向視認が可能で所定の位置が決定され、多方向視認のモニター用の付属部材の着脱を的確に成し遂げることができる。
【０００８】
請求項２記載の発明は、携帯機器のモニターパネル、又は、ＬＣＤ画面に接着可能な中間部材とその中間部材に所定の位置関係で着脱可能な付属部材を有する請求項１記載の携帯機器の多方向視認のモニター用着脱式付属装置を提供する。この発明によれば、中間部材位置が決定され、付属部材の着脱を的確に成し遂げることができる。
【０００９】
請求項３記載の発明は、前記付属部材は弾性を持ち、この弾性により前記付属部材と前記中間部材とが着脱できる請求項２記載の多方向視認のモニター用着脱式付属装置を提供する。この発明によれば、中間部材位置が決定され、付属部材の着脱を的確に成し遂げることができる。
【００１０】
請求項４記載の発明は、前記中間部材の携帯機器への接着部が両面テープである請求項２記載の多方向視認のモニター用着脱式付属装置を提供する。この発明によれば、中間部材を外したい時に外すことができる。
【００１１】
請求項５記載の発明は、前記付属部材が中間部材接着時の位置決め部をもつ請求項４記載の多方向視認のモニター用着脱式付属装置を提供する。この発明によれば、中間部材の位置が決定され、付属部材の着脱を的確に成し遂げることができる。
【００１２】
請求項６記載の発明は、前記付属部材が拡大レンズと遮光構造を有する請求項１記載のモニター用着脱式付属装置を提供する。この発明によれば、遮光を的確に成し遂げることができ、装置を小型化することができる。
【００１３】
請求項７記載の発明は、前記拡大レンズが前記付属部材に着脱可能な請求項６記載の多方向視認のモニター用着脱式付属装置を提供する。この発明によれば、拡大レンズ装着時に遮光を的確に成し遂げることができ、拡大レンズを外した時にモニターパネルに鈍角な光の遮光を成し遂げることができる。
【００１４】
請求項８記載の発明は、前記付属部材は、前記拡大レンズが外された時に携帯機器のＬＣＤ画面から明視の距離でＬＣＤ画面が見える開口をもつ請求項７記載の多方向視認のモニター用着脱式付属装置を提供する。この発明によれば、拡大レンズを外した時にモニターパネルに鈍角な光の遮光を成し遂げることができる。
【００１５】
請求項９記載の発明は、前記拡大レンズが視度の調整機能をもつ請求項６記載の多方向視認のモニター用着脱式付属装置を提供する。この発明によれば、拡大レンズを光軸方向に移動した時に視度の調整を成し遂げることができる。
【００１６】
請求項１０記載の発明は、前記付属部材が目当て保持部材を有し、目当て保持部材の回転角が前記第二ミラーの回転角の約２倍になる請求項１記載の多方向視認のモニター用着脱式付属装置を提供する。この発明によれば、簡単な構成により、全範囲において正立正像の視認を成し遂げることができる。
【００１７】
【発明の実施の形態】
以下、この発明の実施の形態について説明する。
図１は本技術の実施例１のウェストレベル方式位置に設定された状態の断面図（後述の図３のＤ−Ｄによる断面）、図２はアイレベル方式位置に設定された状態の断面図を示す。図３は、実施例１の別の方向の側面と部分断面図（前述の図１のＡ−Ａによる断面）を示す。図４は実施例１のモニター用着脱式付属装置本体を外したデジタルカメラの背面を示す。
【００１８】
１は本体ケース、２は第一ミラー、３は第二ミラー、４は拡大レンズ、５は目当て部材、６は第二ミラー保持部材、７ａは第一中間部材、７ｂは第二中間部材、８ａ、８ｂは両面接着テープ、９はモニターパネル、１０はＬＣＤ、１１はデジタルカメラ、１２は目当て保持部材、１３は連動レバー、１４．１５は遮光板、１６は遮光板保持部材、１７は本体取付枠、１８は結合枠である。
【００１９】
上記構成の中で、ＬＣＤ画面をその視認方向がＬＣＤ画面に垂直な中心軸Ｌ３乃至所定角度傾いた方向Ｌ３’の全範囲において正立正像で視認できる装置で且つモニターパネル９の周辺光反射によってＬＣＤ画面１０が見えにくくなる現象を除去するモニター用付属装置の最小構成は、第一ミラー２を有する本体ケース１、および本体ケース１に回転可能に軸支された第二ミラー３からなるモニター用付属装置が、モニターパネル９あるいはデジタルカメラ１１に第一中間部材７ａ、第二中間部材７ｂを介して着脱できる構成である。
【００２０】
中間部材７ａ、７ｂをモニターパネル９に取り付ける方法として本技術では両面接着テープ８ａ、８ｂによる接着を用いる。これにより中間部材７ａ、７ｂを取り外したい時、モニターパネル９から容易に取り外すことができる。
【００２１】
第一ミラー２は、デジタルカメラ１１のＬＣＤ画面１０の像をカメラ前方斜め上方向Ｌ２へ導くように本体ケース１に固定され、第二ミラー３は、本体ケース１に固着された軸１ａに回転可能に軸支された第二ミラー保持部材６に固着され、第一ミラー２からの前記像を後方乃至カメラ上方へ導くように本体ケース１にそれぞれ所定の角度で配置されている。これによりＬＣＤ画面の視認方向がＬＣＤ画面に垂直な中心軸Ｌ１に平行な方向Ｌ３乃至、７０度から９０度上方へ傾いた方向Ｌ３’の全範囲において、正立正像で視認可能なモニター用付属装置を提供することができる。なお、Ｌ３乃至Ｌ３’の全範囲において、本体１と目当て部材５間で１５度ごとにクリックなどを設ければ、段階的に視認可能なモニター用付属装置を提供することができる。
【００２２】
内容について後述する拡大レンズ４などの機能を必要とするモニター用付属装置は中間部材７ａ、７ｂと所定の位置関係が必要である。その方法として、モニター用付属装置の一部を構成する本体取付枠１８の弾性を用いて中間部材７ａ、７ｂと嵌合部をもって着脱できる。モニター用付属装置と中間部材７ａ、７ｂの嵌合部を中間部材７ａ、７ｂの面で次に示す。後方位置嵌合部は図２の７ｃと７ｄ、上下位置嵌合部はそれぞれ図４の７ｅと７ｆ、左右位置嵌合部はそれぞれ図４の７ｇ、７ｈ、と７ｉ、７ｊ、前方位置嵌合部は図４の７ｋ、７ｌと７ｍ、７ｎに示す。このような構造であるから、モニター用付属装置と中間部材７ａ、７ｂの前後・左右・上下は正確に位置決めでき、着脱も確実となる。
【００２３】
モニターパネル９の反射光を除去してＬＣＤ画面１０を見易くするために遮光を本体ケース１で実施すると、モニターパネル９から目の位置まですなわち、ほぼ明視の距離までの遮光が必要となり、モニター用付属装置は実用上、不適当な大きさになる。これを解決するためにモニター用付属装置に拡大レンズ４を設ける。図１の拡大レンズ４は目当て部材５の内部に固着され、目当て部材５は本体ケース１に固着された軸１ａに回転可能に軸支された目当て保持部材１２のガイドレール１２ｂ、１２ｃ（図３）にスライドさせて係合できるガイド溝５ａ、５ｂ（図３）を有し矢印Ｂ方向にスライドさせることにより目当て保持部材１２に着脱可能に保持されている。これら目当て部材５、保持部材１２と本体ケース１、遮光板１４、１５によって、目当て部材５からモニターパネル９間が遮光された状態でＬＣＤ画面１０を見ることができ、この小型化された構成でモニターパネル９の反射光を除去できる。
なお、スライド構造、あるいは、ネジ構造等により拡大レンズ４を光軸方向に移動可能な視度調整機構を設けてもよい。
【００２４】
目当て部材５の矢印Ｃ方向の回転は、目当て保持部材１２に固着された連動ピン１２ａ、本体ケース１に固着された軸１ｂに回転可能に軸支された連動レバー１３に設けられ、前記連動ピン１２ａと係合する連動溝１３ａ、および同じく連動レバー１３の連動溝１３ａとは反対側に設けられた連動溝１３ｂ、前述の第二ミラー保持部材に設けられた前記連動溝１３ｂと係合する連動ピン６ａを介し第二ミラー３に伝達される。また、それぞれの連動部材は、目当て部材５の回転角度αに対し、第二ミラーの回転角度がほぼα／２となるように関係付けられている。なお本実施例では、連動部にレバーを用いたが、歯車やカムを用いても良い。
【００２５】
以上のような構成であるから、実施例１においては、簡単な構成により、モニターパネル周辺光の影響によりＬＣＤ画面が見えにくくなる現象を除去すると同時に、ＬＣＤ画面の視認方向がＬＣＤ画面に垂直な中心軸Ｌ１に平行な方向Ｌ３乃至、７０度から９０度上方へ傾いた方向Ｌ３‘の範囲内で自由に選択でき且つ正立正像で視認可能なモニター用付属装置を提供することができる。また、拡大レンズを光軸方向に動かす機構を設けることによって視度調整可能な装置を提供できる。
【００２６】
更に目当て部材５をモニター用付属装置から着脱できるようにしたため、拡大レンズ６と目当て部材５をモニター用付属装置から外した時に鈍角な光の遮光を成し遂げることができるので、目当て保持部材１２の開口部１２ｂ、１２ｃを通して明視の距離からＬＣＤ画面１０を見ることができ、モニターパネルへの外光がそれほど強くない時などに有効である。
【図面の簡単な説明】
【図１】実施例１の装置機構のモニター用付属部材がウェストレベル位置時の正面断面図（断面Ｄ−Ｄ）
【図２】実施例１の装置機構のモニター用付属部材がアイレベル位置時の正面断面図
【図３】実施例１の別の方向の部分断面図（断面Ａ−Ａ）
【図４】実施例１の装置機構でモニター用付属部材を外した側面図
【符号の説明】
１    本体ケース
２    第一ミラー
３    第二ミラー
４    拡大レンズ
５    目当て部材
６    第二ミラー保持部材
７ａ  第一中間部材
７ｂ  第二中間部材
８ａ、８ｂ  両面接着テープ
９    モニターパネル
１０  ＬＣＤ
１１  デジタルカメラ
１２  目当て保持部材
１３  連動レバー
１４、１５  遮光板
１６  遮光板保持部材
１７  本体取付枠
１８  結合枠
【図１】
2004246232.tif 000003
【図２】
2004246232.tif 000004
【図３】
2004246232.tif 000005
【図４】
2004246232.tif 000006